(57)【特許請求の範囲】
【請求項１】
電子部品の対向配置した接点の一方と接して前記電子部品を電気ケーブルに電気的に接続する接続端子と、他方の前記接点と接する端子部材と、前記接続端子及び前記端子部材を挿着する函体とで構成し、前記接続端子と前記端子部材とで前記電子部品を対向方向の両側から付勢しながら挟み込む接続構造であって、
前記端子部材に、前記電子部品を挟み込む挟込方向の第１バネを備え、
前記接続端子及び前記端子部材の少なくとも一方における、前記接点に接する接触部分に、前記挟込方向の第２バネを備え、
前記第１バネのバネ定数を、前記第２バネのバネ定数より大きく構成するとともに、
前記第１バネを、
前記第２バネを形成する前記接続端子及び前記端子部材による前記挟み込み方向を含む仮想平面に対する面外位置に配置した
接続構造。
【請求項２】
前記第２バネに、
塑性変形範囲における所定の変形量以上の変形を制限する変形制限手段を備えた請求項１に記載の接続構造。
【請求項３】
前記端子部材に、
複数の前記第１バネと、
複数の前記第１バネの端部同士を連結する連結部とで構成した
請求項１または２に記載の接続構造。
【請求項４】
前記連結部に、
前記第１バネの付勢力に対抗する補強手段を備えた
請求項３に記載の接続構造。
【発明の詳細な説明】
【技術分野】
【０００１】
この発明は、例えば、車両の照明装置や制御装置に使用される電子部品を、フラットケーブル等の電気ケーブルに接続する接続構造に関する。
【背景技術】
【０００２】
従来から、自動車の各種コントロールユニットや照明装置等にはプリント基板上に複数の電子部品を実装した電子部品搭載モジュールが用いられている。このような電子部品搭載モジュールは、例えば、半田接続によって電子部品を基板に実装し、モジュールと外部電気回路とは、基板と半田接続された端子を有するコネクタによって接続される（特許文献１参照）。
【０００３】
しかし、電子部品と回路導体とは半田接続されるため、例えば、平面視２ｍｍ×２ｍｍ角のＬＥＤチップのようにますます小型化する電子部品を接続する場合には、多くの工数もしくは設備投資と品質管理を要するという問題があるとともに、小型化された電子部品を安定して接続することが困難であった。
【０００４】
【特許文献１】特開２００４―１１１４３５号公報
【発明の開示】
【発明が解決しようとする課題】
【０００５】
この発明は、電子部品を安定した接続状態で電気ケーブルに接続できる接続構造を提供することを目的とする。
【課題を解決するための手段】
【０００６】
この発明は、電子部品の対向配置した接点の一方と接して前記電子部品を電気ケーブルに電気的に接続する接続端子と、他方の前記接点と接する端子部材と、前記接続端子及び前記端子部材を挿着する函体とで構成し、前記接続端子と前記端子部材とで前記電子部品を対向方向の両側から付勢しながら挟み込む接続構造であって、前記端子部材に、前記電子部品を挟み込む挟込方向の第１バネを備え、前記接続端子及び前記端子部材の少なくとも一方における、前記接点に接する接触部分に、前記挟込方向の第２バネを備え、前記第１バネのバネ定数を、前記第２バネのバネ定数より大きく構成するとともに、前記第１バネを、前記第２バネを形成する前記接続端子及び前記端子部材による前記挟み込み方向を含む仮想平面に対する面外位置に配置したことを特徴とする。
【０００７】
この発明の態様として、前記第２バネに、塑性変形範囲における所定の変形量以上の変形を制限する変形制限手段を備えることができる。  
また、この発明の態様として、前記端子部材に、複数の前記第１バネと、複数の前記第１バネの端部同士を連結する連結部とで構成することができる。  
また、この発明の態様として、前記連結部に、前記第１バネの付勢力に対抗する補強手段を備えることができる。
【０００８】
上記電子部品には、ＬＥＤチップ等の光源デバイスや各種センサ、さらには供給電圧を調整する抵抗器や、高い電圧が印加される場合のバイパス回路を構成するダイオード等であることを含む。  
上記接続端子は、電子部品を電気ケーブルに直接接続するピアス端子等の端子であることを含む。
【０００９】
また、上記端子部材は、接続端子によって電気ケーブルに電気的に接続された電子部品同士を電気的に接続することで電気回路を構成して間接的に電気ケーブルに接続する端子部材や、電子部品を電気ケーブルに直接接続して電気回路を構成する接続端子で構成する端子部材であることを含む。
【００１０】
上記電気ケーブルは、幅方向に所定間隔を隔てて配設した複数の平型導体と該複数の平型導体を一体的に平板状に被覆する被覆部材とからなるフラットケーブルであることをいう。  
なお、電気ケーブルとして丸撚り線を幅方向に並べて一体化したリボン電線を用いても良いが、放熱効果が高いフラットケーブルがより好ましい。
【発明の効果】
【００１１】
この発明によれば、電子部品を安定した接続状態で電気ケーブルに接続する接続構造を提供することができる。
【発明を実施するための最良の形態】
【００１２】
本発明のＬＥＤモジュール１は、図１乃至７に示すように、電子デバイス３（ＬＥＤ３０，抵抗器４０）における対向配置した接点３２，４１のうち一方側の一方側接点３２ａ，４１ａと接して電子デバイス３をフラットケーブル１００に電気的に接続する接続端子６と、他方側の他方側接点３２ｂ，４１ｂと接する中間端子５と、中間端子５及び接続端子６を挿着するデバイスホルダー７とで構成し、中間端子５及び接続端子６とで電子デバイス３を対向方向である幅方向Ｗの両側から付勢しながら挟み込んでいる。
【００１３】
前記中間端子５には、電子デバイス３を挟み込む挟込方向ｗ（図６参照）のメインスプリング５１と、他方側接点３２ｂ，４１ｂに接する端子接触部５２に、前記挟込方向ｗのサブスプリング５２ａを備えている。なお、サブスプリング５２ａのバネ定数ｋ２を、メインスプリング５１のバネ定数ｋ１と異なるバネ定数であり、ｋ１＞ｋ２となるように設定している。
【００１４】
また、中間端子５は、３本のメインスプリング５１と、３本のメインスプリング５１の端部同士を連結する長手方向フレーム５３とで構成するとともに、メインスプリング５１を、サブスプリング５２ａを形成する中間端子５の端子接触部５２と接触プレート６１とによる挟込方向ｗを含む仮想平面Ｓ（図６（ｂ）参照）に対する面外位置に配置している。
【００１５】
また、端子接触部５２は、所定の変形量以上の変形を制限するストッパ片５２ｂを備えており、端子接触部５２はストッパ片５２ｂによって、塑性変形領域での所定変形量まで変形可能に構成されている。
【００１６】
上述するＬＥＤモジュール１の構成について、図１乃至７とともに、詳述する。  
なお、図１はＬＥＤモジュール１の斜視図を示し、図２はＬＥＤモジュール１の分解斜視図を示し、図３はＬＥＤモジュール１の底面側からの分解斜視図を示し、図４はデバイスホルダー７への電子デバイス３、中間端子５及び接続端子６の組み付けについての斜視図による説明図を示し、図５はデバイスホルダー７、フラットケーブル１００及びアンダーホルダー９の組み付けについての斜視図による説明図を示し、図６は電子部品である抵抗器４０の挿着についての幅方向断面図による説明図を示し、図７は抵抗器４０の挿着における中間端子５、メインスプリング５１及びサブスプリング５２ａの変形についての幅方向断面図による説明図を示している。
【００１７】
ＬＥＤモジュール１は、デバイスホルダー７に挿着したＬＥＤ３０や抵抗器４０からなる電子デバイス３をフラットケーブル１００に接続する接続ユニットである。  
電子デバイス３は、光源となるＬＥＤ３０と、ＬＥＤモジュール１の外部から印加される電圧をＬＥＤ３０の特性に合わせて所定電圧に調整する電圧調整回路を構成する抵抗器４０とで構成している。
【００１８】
なお、ＬＥＤ３０は、幅方向Ｗ（フラットケーブル１００の幅方向と同じ方向）及び長手方向Ｌ（フラットケーブル１００の長手方向と同じ方向）の長さに対して高さの低い約１〜２ｍｍ角の略直方体で形成されている。  
上記ＬＥＤ３０は上面に平面視円形の発光部３１を備えるとともに、幅方向Ｗの対向する両側面に底面から連続するＬ型の接点３２を備えている。なお、接点３２のうち、図２の左奥側を一方側接点３２ａ（図３参照）とし、右手前側を他方側接点３２ｂとしている。
【００１９】
抵抗器４０は、ＬＥＤ３０より幅広、同程度の奥行き、並びに１／４程度の高さで形成された幅方向Ｗに長い薄型の直方体形状であり、幅方向Ｗの対向する両側面に底面から上面まで連続する接点４１を備えている。なお、接点４１のうち、図２の左奥側を一方側接点４１ａとし、右手前側を他方側接点４１ｂとしている。
【００２０】
このような構成のＬＥＤ３０と抵抗器４０とは、フラットケーブル１００の長手方向Ｌに沿って、図２における手前側に抵抗器４０を、奥側にＬＥＤ３０を、対向する接点３２ａ，３２ｂ及び接点４１ａ，４１ｂが幅方向Ｗにそれぞれ並ぶように配置されている。
【００２１】
中間端子５は、１枚の適宜の弾性を有する銅合金製のプレートから形成される。詳しくは、プレス加工により、ＬＥＤ３０および抵抗器４０が配置される部品配置開口５５（５５ａ，５５ｂ）を打ち抜き、長手方向Ｌに所定間隔を隔てて配置した３本の平行な幅方向Ｗのメインスプリング５１と、３本のメインスプリング５１の端部を連結する長手方向Ｌの２本の平行する長手方向フレーム５３（５３ａ，５３ｂ）とで構成された平面視日の字型に形成している。
【００２２】
メインスプリング５１は、下向きに凸な正面視Ｖ字型に形成されたＶ字部５１ａを、幅方向Ｗの中央から両側に適宜の間隔を隔てて配置し、Ｖ字部５１ａによる幅方向Ｗの付勢力によってバネ定数ｋ１のスプリングを構成している。
【００２３】
なお、２つのＶ字部５１ａの間を中間部分５１ｂに設定するとともに、Ｖ字部５１ａによるメインスプリング５１の付勢方向が中間端子５と同じ平面上となるよう設定されている。
【００２４】
３本のメインスプリング５１の端部を連結する長手方向Ｌの２本の長手方向フレーム５３のうち、図２における右手前側の他方側長手方向フレーム５３ｂの部品配置開口５５側の側面には、ＬＥＤ３０や抵抗器４０の他方側接点３２ｂ，４１ｂと接する正面視逆Ｕ型の端子接触部５２を備えている。
【００２５】
端子接触部５２は、部品配置開口５５側がフリーで、長手方向フレーム５３側が長手方向フレーム５３の側面に固定された片側支持状態に形成され、逆Ｕ字形状による幅方向Ｗの付勢力によってバネ定数ｋ２のスプリングを構成している。
【００２６】
また、端子接触部５２は、部品配置開口５５側の側面に、電子デバイス３の他方側接点３２ｂ、４１ｂと接触する接触凸部５２ｃを形成するとともに、長手方向フレーム５３側を凸状に切欠いて逆Ｕ字型の内部に突出させたストッパ片５２ｂを備えている。本実施例において、中間端子５は銅合金で構成したが、導電性を有すれば金属製部材以外であってもよい。
【００２７】
デバイスホルダー７は、電子デバイス３、中間端子５及び接続端子６を挿着固定する、上面開放の直方体形状に形成されたホルダーであり、上面の開放部分に、電子デバイス３及び中間端子５を挿着固定するデバイス挿着凹部７０を構成している。また、底面に接続端子６を挿着固定する接続端子挿着凹部７９と、四隅近傍に下向きに突出するパイロットピン８０を備えている。
【００２８】
デバイス挿着凹部７０は、上方からの中間端子５の挿着ができるよう、中間端子５の平面形状より一回り大きく形成されている。なお、デバイス挿着凹部７０には部品配置開口５５に対応する部分の内側に、接触プレート６１の反力となるとともに、部品配置開口５５の位置を合わせる反力ブロック７１（７１ａ，７１ｂ）を備えるとともに、メインスプリング５１における２つのＶ字部５１ａの間の中間部分５１ｂに対応する位置に、サイドブロック７３を備えている。
【００２９】
したがって、部品配置開口５５と反力ブロック７１とをはめ合わせるとともに、メインスプリング５１の中間部分５１ｂがサイドブロック７３上となるように挿着した中間端子５は、デバイス挿着凹部７０内における水平方向を略固定することができる。
【００３０】
なお、反力ブロック７１の平面視内側の底面部分に、デバイスホルダー７の底面側の接続端子挿着凹部７９に挿着された接続端子６の接触プレート６１の挿通を許容する貫通孔７２を備えている。  
後述する接続端子６の挿着を許容する接続端子挿着凹部７９は、それぞれのピアス部６３の挿着を許容する溝形状で構成するとともに、上述の貫通孔７２を備えている。
【００３１】
接続端子６は、ＬＥＤ３０をフラットケーブル１００に接続するＬＥＤ用接続端子６ｂと、抵抗器４０をフラットケーブル１００に接続する抵抗用接続端子６ａの２種類があり、それぞれは上から順に、ＬＥＤ３０及び抵抗器４０の接触端子３２，４１と接触する接触凸部６１ａを有する接触プレート６１と、該接触プレート６１に対して略直角で平面視カギ状の水平プレート部６２と、該水平プレート部６２の先端に備えたピアス部６３とで構成している。
【００３２】
ＬＥＤ用接続端子６ｂと抵抗用接続端子６ａとは、水平プレート部６２における幅方向Ｗの長さとカギ状の向きとを調整することでピアス部６３が、フラットケーブル１００の導電体１０１の位置に合うとともに、長手方向Ｌの位置が合うように配置することができる。
【００３３】
ピアス部６３は、上方に凸な正面視半円形のルーフ部６３ａと、該ルーフ部６３ａの幅方向Ｗ両端から下方に突出するピアス刃６３ｂとで構成している。なお、本実施例においては、１つのピアス部６３には、一端側で長手方向Ｌの所定間隔を隔てて配置した２枚のピアス刃６３ｂと他端側の１枚のピアス刃６３ｂとの計３枚のピアス刃６３ｂを備えている。
【００３４】
なお、中間端子５及び接続端子６は、０．１〜０．５ｍｍ厚の銅合金製板材で構成しているが、ＬＥＤ３０のサイズ等に合わせて、０．２〜０．２５ｍｍ厚程度の銅合金製板材が好適である。また、導電性を有するものであれば良く、上記銅合金に限定されない。
【００３５】
フラットケーブル１００は、幅方向Ｗに所定間隔を隔てて配設した２本の導電体１０１と、２本の導電体１０１を一体的に平板状に被覆する不導電性ラミネートシート１０２とで構成している。  
また、不導電性ラミネートシート１０２の幅方向Ｗの両端部におけるデバイスホルダー７のパイロットピン８０に対応する位置に、幅方向内側に半円形状の切欠き１０２ａを四ヶ所備えている。
【００３６】
アンダーホルダー９は、上面に、フラットケーブル１００の係着を許容する、フラットケーブル１００よりわずかに幅が広く、深さがフラットケーブル１００の厚さよりわずかに深い係着溝９１を形成し、該係着溝９１の側部をまたぐようにして、デバイスホルダー７のパイロットピン８０に対応する位置に、パイロットピン８０の挿入を許容するパイロットホール８１を四ヶ所備えている。また、係着溝９１の平面視中央付近にフラットケーブル１００を貫通したピアス刃６３ｂの支障を防止する回避凹部９２を備えている。
【００３７】
次に、それぞれを上記構成で構成したＬＥＤモジュール１の組み付けについて説明する。  
まず、図４（ａ）に示すように、底面が上側となるように上下逆さまにしたデバイスホルダー７の接続端子挿着凹部７９に、ピアス刃６３ｂが上方に突出するように上下逆さまにした接続端子６を、貫通孔７２に接触プレート６１が貫通すように挿着する。
【００３８】
この接続端子挿着凹部７９への接続端子６の挿着によって、接続端子６は、図４（ｂ）に示すように、ピアス刃６３ｂがデバイスホルダー７の底面から突出する態様となり、図４（ｃ）に示すように、上面が上側となるように戻した場合に、貫通孔７２を貫通した接触プレート６１が、反力ブロック７１の平面視内側からデバイス挿着凹部７０に突出する態様となる。
【００３９】
そして、接続端子６が挿着されたデバイスホルダー７のデバイス挿着凹部７０の上方から中間端子５を挿着する。これにより、２つのＶ字部５１ａの間の中間部分５１ｂがサイドブロック７３上となるように配置されるとともに、端子接触部５２が接触プレート６１と幅方向Ｗにおける対向する位置に配置され、一方側長手方向フレーム５３ａによって幅方向Ｗ位置が固定された態様で挿着することができる。
【００４０】
このように、デバイスホルダー７に接続端子６と中間端子５が組み付けた状態において、メインスプリング５１を、サブスプリング５２ａを形成する中間端子５の端子接触部５２と接触プレート６１とによる挟込方向ｗを含む仮想平面Ｓ（図６（ｂ）参照）に対する面外位置、即ち高さ方向に偏心した位置に配置している。
【００４１】
図４（ｄ）に示すように、中間端子５及び接続端子６が挿着された状態のデバイス挿着凹部７０の上方から電子デバイス３を挿着する。詳しくは、抵抗器４０は、図６に示すように、デバイス挿着凹部７０における抵抗器反力ブロック７１ａの平面視内側で、抵抗用接続端子６ａの接触プレート６１と抵抗器配置開口５５ａの端子接触部５２との間に挟み込むように割り込ませて挿着し、ＬＥＤ３０は、デバイス挿着凹部７０におけるＬＥＤ反力ブロック７１ｂの平面視内側で、ＬＥＤ用接続端子６ｂの接触プレート６１とＬＥＤ配置開口５５ｂの端子接触部５２との間に挟み込むように割り込ませて挿着する。
【００４２】
このように、端子接触部５２のサブスプリング５２ａのバネ定数ｋ２を、メインスプリング５１のバネ定数ｋ１より小さく設定しているため、割込代Ｈ（図７（ａ）参照）のうち、ストッパ片５２ｂによって規制される変形量ｈ１まで端子接触部５２が変形し（図７（ｂ）参照）、バネ定数の大きなメインスプリング５１が残る変形量のうち変形量ｈ２分変形し（図７（ｃ）参照）、さらに残る変形量ｈ３分を中間端子５の撓みによって吸収するよう設定されている（図７（ｄ）参照）。上記変形量ｈ１は、サブスプリング５２ａが塑性変形する変形量に設定されている。
【００４３】
なお、上記割込代Ｈは、寸法公差を含んでおらず、実際の電子デバイス３や中間端子５には公差を含んでいるため、さらに大きな割込代となる可能性があるが、最初に塑性変形するサブスプリング５２ａを備え、ストッパ片５２ｂで端子接触部５２の変形が規制されたのちにメインスプリング５１が変形し、さらに残る変形を中間端子５の撓みによって吸収できるため、確実に寸法公差を含む割込代Ｈを吸収して電子デバイス３を挿着することができる。  
これにより、ＬＥＤ３０及び抵抗器４０は、デバイスホルダー７の上面から突出しない態様でデバイスホルダー７に挿着することができる。
【００４４】
このように、電子デバイス３、中間端子５及び接続端子６が挿着されたデバイスホルダー７と、アンダーホルダー９とでフラットケーブル１００を上下方向に挟み込んでＬＥＤモジュール１を組み立てる（図５参照）。
【００４５】
詳しくは、上下に配置したデバイスホルダー７及びアンダーホルダー９の間にフラットケーブル１００を配置し、フラットケーブル１００をアンダーホルダー９の係着溝９１に、切欠き１０２ａとパイロットホール８１とが対応する位置で係着させ（図５（ｂ）参照）、アンダーホルダー９のパイロットホール８１にデバイスホルダー７のパイロットピン８０を挿入して、アンダーホルダー９とデバイスホルダー７とを嵌合させてＬＥＤモジュール１を組み立てる。
【００４６】
このアンダーホルダー９とデバイスホルダー７との嵌合によって、デバイスホルダー７の底面から下方に突出するピアス部６３のピアス刃６３ｂは、接続端子挿着凹部７９を介してルーフ部６３ａが下方に押圧され、フラットケーブル１００の不導電性ラミネートシート１０２ごと導電体１０１を貫通して接続端子６と導電体１０１とは電気的に接続される。
【００４７】
なお、フラットケーブル１００を貫通したピアス刃６３ｂの先端は、回避凹部９２に挿入されるような態様となるため、ピアス刃６３ｂの貫通した先端による悪影響を及ぼすことなくデバイスホルダー７とアンダーホルダー９とを嵌合することができる。
【００４８】
このように、デバイスホルダー７に挿着された中間端子５及び接続端子６における端子接触部５２と接触プレート６１とで、電子デバイス３を対向方向である幅方向Ｗの両側から付勢しながら挟み込んでいるため、電子デバイス３とフラットケーブル１００とを安定した接続状態で接続することができる。
【００４９】
また、前記中間端子５には、メインスプリング５１と、端子接触部５２に備えたサブスプリング５２ａとを備え、サブスプリング５２ａのバネ定数ｋ２を、メインスプリング５１のバネ定数ｋ１と異なるバネ定数であり、ｋ１＞ｋ２となるように設定しているため、最初に端子接触部５２が変形し、その後メインスプリング５１が変形するように設定できる。
【００５０】
これにより、たとえば、寸法公差を含むような大きな変形に対応して接続状態を確保することができる。したがって、確実に付勢した状態で挟み込んで、電子デバイス３とフラットケーブル１００とを安定した接続状態で接続することができる。
【００５１】
また、端子接触部５２には、所定の変形量以上の変形を制限するストッパ片５２ｂを備えており、端子接触部５２はストッパ片５２ｂによって、塑性変形領域での所定変形量まで変形可能に構成されている。  
これにより、サブスプリング５２ａの変形量を所望の変形量に調整できるため、たとえば、メインスプリング５１とサブスプリング５２ａとの変形量の比率を適した比率に設定することができるとともに、残りの変形分を中間端子５の撓みによって吸収することができる。したがって、電子デバイス３による公差や、デバイスホルダー７のクリープ変形等を考慮した場合であっても、確実に付勢した状態での挟み込みを実現することができる。
【００５２】
また、中間端子５を、３本のメインスプリング５１と、３本のメインスプリング５１の端部同士を連結する長手方向フレーム５３とで構成する平面視日型形状で形成し、サブスプリング５２ａを形成する中間端子５の端子接触部５２と接触プレート６１とによる挟込方向ｗ含む仮想平面Ｓに対する面外位置で付勢する位置に配置したことによって、サブスプリング５２ａやメインスプリング５１による変形量を超える変形が生じる場合であっても、中間端子５が撓むことでサブスプリング５２ａやメインスプリング５１による変形量を超える変形を吸収できる。  
したがって、確実に、サブスプリング５２ａやメインスプリング５１を機能させて、確実に付勢した状態で接続することができる。
【００５３】
なお、上述のＬＥＤモジュール１のフラットケーブル１００への取付け方法の説明においては、ピアス刃６３ｂでフラットケーブル１００を貫通させて電気的に接続したが、ピアス刃６３ｂの抜け出しを防止するために、フラットケーブル１００の底面から突出する部分をカールさせてもよいし、抜け留治具で抜け留してもよい。
【００５４】
また、中間端子５及び接続端子６を挿着したデバイスホルダー７に電子デバイス３を挿着してから、アンダーホルダー９と嵌合させてフラットケーブル１００に接続されたが、中間端子５及び接続端子６を挿着したデバイスホルダー７とアンダーホルダー９とを先に嵌合させてフラットケーブル１００に接続してから電子デバイス３を挿着する構成であってもよい。
【００５５】
また、別の実施形態の中間端子５’の斜視図である図８に示すように、３本のメインスプリング５１の端部同士を連結する長手方向フレームを、メインスプリング５１の付勢力に対抗する補強手段となる補強フレーム５３’で構成してもよい。
【００５６】
中間端子５’について詳述すると、中間端子５と同じ３本のメインスプリング５１の両端同士を連結する長手方向Ｌのフレームを正面視蒲鉾状に形成した長手方向フレーム５３’で形成するとともに、端子接触部５２の対向側の長手方向フレーム５３’に係止部５４を備えている。
【００５７】
この構成により、係止部５４をデバイスホルダー７に係止して固定できるため、長手方向フレーム５３’を確実にデバイスホルダー７に固定できるとともに、デバイスホルダー７に係止された長手方向フレーム５３’を反力として、確実に幅方向Ｗの付勢力を作用させることができる。  
したがって、接触プレート６１と端子接触部５２とで電子デバイス３を幅方向Ｗの両側から付勢しながら確実に挟み込んで接続することができる。
【００５８】
また、上記実施例において、端子接触部５２に第２バネを構成するサブスプリング５２ａを備えたが、接続端子６に第２バネを備えてもよく、端子接触部５２と接続端子６との両方に第２バネを構成してもよい。
【００５９】
以上、この発明の構成と、上述の実施形態との対応において、
この発明の電子部品は、電子デバイス３，ＬＥＤ３０、及び抵抗器４０に対応し、
以下同様に、
一方の接点は、一方側接点３２ａ，４１ａに対応し、
他方の接点は、他方側接点３２ｂ，４１ｂに対応し、
電気ケーブルは、フラットケーブル１００に対応し、
接続端子は、接続端子６，ＬＥＤ用接続端子６ｂ，抵抗用接続端子６ａに対応し、
端子部材は、中間端子５，５’に対応し、
函体は、デバイスホルダー７に対応し、
第１バネは、メインスプリング５１に対応し、
第２バネは、サブスプリング５２ａに対応し、
接続構造は、ＬＥＤモジュール１に対応し、
変形制限手段は、ストッパ片５２ｂに対応し、
連結部は、長手方向フレーム５３，一方側長手方向フレーム５３ａ，他方側長手方向フレーム５３ｂに対応し、
補強手段は、補強フレーム５３’に対応し、
電気回路は、電圧調整回路に対応するも、
この発明は、上述の実施形態の構成のみに限定されるものではなく、多くの実施の形態を得ることができる。
【００６０】
フラットケーブル１００は、ピアス部６３が接続しやすい絶縁部材である不導電性ラミネートシート１０２で被覆されたフラットケーブル１００であればよく、特に、本実施形態のものに限定されるものではないが、不導電性ラミネートシート１０２の材質としては、具体的にはＰＥＴ樹脂が好ましい。
【００６１】
また、導電体１０１についても、放熱性に優れる帯状の導電体だけでなく、丸形断面の導電体であってもよく、導電体１０１の材質としては導電性を有するものであれば良いが、好ましくは金属製、より好ましくは導電性に優れる銅、銅合金が良い。
【図面の簡単な説明】
【００６２】
【図１】ＬＥＤモジュールの斜視図。
【図２】ＬＥＤモジュールの分解斜視図。
【図３】ＬＥＤモジュールの底面側からの分解斜視図。
【図４】デバイスホルダーへの電子デバイス、中間端子及び接続端子の組み付けについての説明図。
【図５】デバイスホルダー、フラットケーブル及びアンダーホルダーの組み付けについての説明図。
【図６】電子部品である抵抗器の挿着についての説明図。
【図７】抵抗器の挿着における中間端子、メインスプリング及びサブスプリングの変形についての説明図。
【図８】別の実施形態の中間端子の斜視図。
【符号の説明】
【００６３】
１…ＬＥＤモジュール
３…電子デバイス
５，５’…中間端子
６…接続端子
６ａ…抵抗用接続端子
６ｂ…ＬＥＤ用接続端子
７…デバイスホルダー
３０…ＬＥＤ
３２…接点
３２ａ…一方側接点
３２ｂ…他方側接点
４０…抵抗器
４１…接点
４１ａ…一方側接点
４１ｂ…他方側接点
５１…メインスプリング
５２ａ…サブスプリング
５２ｂ…ストッパ片
５３…長手方向フレーム
５３ａ…一方側長手方向フレーム
５３ｂ…他方側長手方向フレーム
５３’…補強フレーム
１００…フラットケーブル
ｗ…挟込方向
【図１】
0005053168.tif 000002
【図２】
0005053168.tif 000003
【図３】
0005053168.tif 000004
【図４】
0005053168.tif 000005
【図５】
0005053168.tif 000006
【図６】
0005053168.tif 000007
【図７】
0005053168.tif 000008
【図８】
0005053168.tif 000009